(57)【要約】【課題】  携帯電話の利用料金の低減化を図ることを目的としている。【解決手段】  無線ＬＡＮ対応携帯電話機の通信システム１０は、無線ＬＡＮ対応携帯電話機１２と、この無線ＬＡＮ対応携帯電話機１２からアクセスポイント２０を介してイントラネット２４に接続する無線ＬＡＮ対応携帯電話機の通信システムにおいて、前記アクセスポイント２０と前記イントラネット２４の間に、前記アクセスポイント２０で受信したデータ信号を変換するプロキシサーバ１６を形成したことを特徴としている。この場合において、前記プロキシサーバ１６は、受信したデータ信号のユーザ情報をポータルサイトにアクセス可能なユーザ情報に設定変更することを特徴としている。【選択図】    図１
2006303862.tif 000002
【特許請求の範囲】
【請求項１】
無線ＬＡＮ対応携帯電話機からデータ信号をアクセスポイントに送信して、
接続する前記無線ＬＡＮ対応携帯電話機からの前記データ信号のユーザ情報をコンテンツプロバイダにアクセス可能なユーザ情報に変更するプロキシサーバを経由して、
前記コンテンツプロバイダにアクセスすることを特徴とする無線ＬＡＮ対応携帯電話機の通信方法。
【請求項２】
無線ＬＡＮ対応携帯電話機からデータ信号をＶＰＮルータに送信して、
接続する前記無線ＬＡＮ対応携帯電話機からの前記データ信号のユーザ情報をコンテンツプロバイダにアクセス可能なユーザ情報に変更するプロキシサーバを経由して、
前記コンテンツプロバイダにアクセスすることを特徴とする無線ＬＡＮ対応携帯電話機の通信方法。
【請求項３】
無線ＬＡＮ対応携帯電話機と、この無線ＬＡＮ対応携帯電話機からアクセスポイントを介してイントラネットに接続する無線ＬＡＮ対応携帯電話機の通信システムにおいて、
前記イントラネットには、前記アクセスポイントで受信したデータ信号を変換するプロキシサーバを形成したことを特徴とする無線ＬＡＮ対応携帯電話機の通信システム。
【請求項４】
無線ＬＡＮ対応携帯電話機と、この無線ＬＡＮ対応携帯電話機からＶＰＮルータに接続する無線ＬＡＮ対応携帯電話機の通信システムにおいて、
前記ＶＰＮルータで受信したデータ信号を変換するプロキシサーバを形成したことを特徴とする無線ＬＡＮ対応携帯電話機の通信システム。
【請求項５】
前記プロキシサーバは、受信したデータ信号のユーザ情報をコンテンツプロバイダにアクセス可能なユーザ情報に設定変更することを特徴とする請求項３または請求項４のいずれかに記載の無線ＬＡＮ対応携帯電話機の通信システム。
【発明の詳細な説明】
【技術分野】
【０００１】
この発明は、無線ＬＡＮ対応携帯電話機の通信方法及びそのシステムに係り、特にサイトのアクセスが効率的な無線ＬＡＮ対応携帯電話機の通信方法及びそのシステムに関するものである。
【背景技術】
【０００２】
近年、携帯電話機は、音声通話機能はもちろんのこと、ほとんどの機種が画面上からウェブサイトを閲覧したり、ウェブサイトからファイルをダウンロードしたり、電子メールあるいは画像データを送受信することができる機能を備えている。さらに、動画データを再生させることができる機能を付帯させるなど携帯端末の高機能化が進んでいる。
【０００３】
図４に携帯電話機からコンテンツプロバイダに接続する説明図を示す。図示のように、ユーザは携帯電話機１０１の画面上のメニューからインターネット接続を選択する。携帯電話機１０１から携帯電話通信網１０２を経由してポータルサイト１０４に接続される。前述の携帯電話通信網１０２を介したポータルサイト１０４は、図示のように携帯電話会社（Ａ社、Ｂ社、Ｃ社など）ごとに属性の異なる独自の携帯電話通信網１０２を形成している。ポータルサイト１０４にはあらかじめ登録された複数のコンテンツプロバイダ１０６がコンテンツごとに区分けされている。ユーザは閲覧したいコンテンツプロバイダ１０６のコンテンツを画面上で選択する。ポータルサイト１０４からインターネット１０５を経由してコンテンツプロバイダ１０６に接続する。この接続の際、コンテンツプロバイダ１０６では、ユーザ情報を確認し、予め登録されたユーザからのアクセスであると認識した場合にはアクセスを許可する。そして、携帯電話機１０１の画面上にはコンテンツプロバイダ１０６のサイトが表示される。
【０００４】
これにより、ユーザは携帯電話機１０１からインターネット１０５を介してコンテンツプロバイダ１０６のコンテンツにアクセスして閲覧することが可能となる。特許文献１、２にはコンテンツプロバイダからサービスを受けるユーザのユーザ認証方法が開示されている。
ところで、このような種々の携帯電話機１０１の通信料金は、通信時間の長さではなく、取り扱うデータ量に応じて課金される、いわゆるパケット通信料金による課金方式を採っている。
【０００５】
このパケット通信料金の課金対象となるパケット通信とは、データを小さなまとまりに分割して一つ一つのデータ、すなわちパケットとして送受信する通信方式である。送信データのほかに送信先のアドレスや、自分がデータ全体のどの部分なのかを示す位置情報などの制御情報が付加されている。このため、パケット通信を使うことにより、ある２地点間の通信に途中の回線が占有されることなく、通信回線を効率良く利用することができる。このパケット単位で課金するのがパケット通信料金となる。
【特許文献１】特開２００２−１２４９９４号公報
【特許文献１】特開２００３−３６２４６号公報
【発明の開示】
【発明が解決しようとする課題】
【０００６】
しかしながら、パケット通信料金の場合、色鮮やかな写真等の画像データや、動画データや、着信メロディ等の音声ファイルのダウンロードをする場合にはデータ量がかなり大きくパケット通信量が多くなり、通信料金がユーザの意に反して高額となることがある。また、通信速度の高速化とともに、携帯電話の処理能力も高速化されてはいるが、前述のようにパケット通信料金を採用しているため、通信に要する時間が短縮されても取り扱うデータ量は同じであって、通信料金が高額になることにはかわりはない。
そこで、上記従来の問題点を改善するため、本発明は、携帯電話の利用料金を低減することを目的としている。
【課題を解決するための手段】
【０００７】
本発明の無線ＬＡＮ対応携帯電話機の通信方法は、無線ＬＡＮ対応携帯電話機からデータ信号をアクセスポイントに送信して、接続する前記無線ＬＡＮ対応携帯電話機からの前記データ信号のユーザ情報をコンテンツプロバイダにアクセス可能なユーザ情報に変更するプロキシサーバを経由して、前記コンテンツプロバイダにアクセスすることを特徴としている。また無線ＬＡＮ対応携帯電話機からデータ信号をＶＰＮルータに送信して、接続する前記無線ＬＡＮ対応携帯電話機からの前記データ信号のユーザ情報をコンテンツプロバイダにアクセス可能なユーザ情報に変更するプロキシサーバを経由して、前記コンテンツプロバイダにアクセスすることを特徴としている。
【０００８】
本発明の無線ＬＡＮ対応携帯電話機の通信システムは、無線ＬＡＮ対応携帯電話機と、この無線ＬＡＮ対応携帯電話機からアクセスポイントを介してイントラネットに接続する無線ＬＡＮ対応携帯電話機の通信システムにおいて、前記イントラネットには、前記アクセスポイントで受信したデータ信号を変換するプロキシサーバを形成したことを特徴としている。また無線ＬＡＮ対応携帯電話機と、この無線ＬＡＮ対応携帯電話機からＶＰＮルータに接続する無線ＬＡＮ対応携帯電話機の通信システムにおいて、前記ＶＰＮルータで受信したデータ信号を変換するプロキシサーバを形成したことを特徴としている。
この場合において、前記プロキシサーバは、受信したデータ信号のユーザ情報をコンテンツプロバイダにアクセス可能なユーザ情報に設定変更することを特徴としている。
【発明の効果】
【０００９】
上記構成による本発明の無線ＬＡＮ対応携帯電話機の通信方法及びそのシステムによれば、無線ＬＡＮ対応の携帯電話機を用いているので、携帯電話と無線ＬＡＮ間では通信費が発生せず、またインターネットの接続費がかかるのみであり通信料金を大幅に低減することが可能となる。よって、音声、画像、映像ファイルなどのデータ量が大きくても通信料金を気にすることなく利用することができる。また、通話料金は、固定料金のみでありダウンロードあるいは送受信に要する課金を考慮する必要がなく通信料金を大幅に低減することが可能となる。
【００１０】
さらに本通信システムは無線ＬＡＮを経由しているため、通常の携帯通信網に比べて通信速度が速い。
また無線ＬＡＮ対応携帯電話機からデータ信号をＶＰＮルータに送信して、接続する前記無線ＬＡＮ対応携帯電話機からの前記データ信号のユーザ情報をコンテンツプロバイダにアクセス可能なユーザ情報に変更するプロキシサーバを経由して、前記コンテンツプロバイダにアクセスしている。このため携帯電話機の接続機器を離れた箇所に複数形成することができ、携帯電話機間で送受信することができる。
【発明を実施するための最良の形態】
【００１１】
本発明に係る無線ＬＡＮ対応携帯電話機の通信方法及びそのシステムの第１実施形態を添付の図面を参照しながら以下詳細に説明する。
図１は第１実施形態に係る無線ＬＡＮ対応携帯電話機の通信システムの構成概略を示す図である。図示のように、通信システム１０は、末端側の無線ＬＡＮ対応携帯電話機１２と、この無線ＬＡＮ対応携帯電話機１２がアクセスするアクセスポイント２０と、このアクセスポイント２０が接続するイントラネット２４を備えている。さらに、イントラネット２４には、プロキシサーバ１６を備えた構成としている。
【００１２】
無線ＬＡＮ対応携帯電話機１２は従来の音声通話機能に加えて、データ通信機能、及び、インターネット通信機能を有している。例えば、メールの送受信やＷＥＢページの閲覧を行うことができる。なお、インターネットの通信方法には通常の携帯電話通信網を経由する通信方法と、無線ＬＡＮを経由した通信方法がある。本実施形態に係る携帯電話機は、通常の携帯電話通信網を経由する通信方法に加えて、無線ＬＡＮによる通信方法が可能な無線ＬＡＮ機能を具備している。
【００１３】
この無線ＬＡＮ３０は無線によるデータ信号の送受信を行うことができるＬＡＮである。無線ＬＡＮ３０は、使用する電波が無料であり、企業等のネットワークの構築に用いられている。無線ＬＡＮ機能はあらかじめ携帯電話機に内蔵してあり、この携帯電話機と後述するアクセスポイント２０間で電波の送受信を行える。このため無線ＬＡＮ３０を経由すれば通信料金がかからないという利点がある。
【００１４】
アクセスポイント２０は無線によるデータ信号を送受信する中継の接続機器である。また、有線ＬＡＮと接続して後述するイントラネット２４に接続している。アクセスポイント２０は無線ＬＡＮ対応携帯電話機１２の電波を受信するとともにイントラネット２４からのデータ信号を無線ＬＡＮ対応携帯電話機１２に送信することができる。
【００１５】
イントラネット２４はインターネットの技術を用いて、一定の範囲の閉じたネットワークを形成している。本実施形態ではイントラネット２４からインターネット２６に接続する構成としている。この際、ファイヤーウォールを形成して外部のインターネット２６からの侵入を制限して安全性を確保している。
【００１６】
またインターネット２６には複数のコンテンツプロバイダ２８のサーバが接続している。また、コンテンツプロバイダ２８のサーバは、アクセス制限がなく自由にアクセス可能なコンテンツと、特定のユーザに対してのみコンテンツを提供するアクセス制限付きのコンテンツがある。このアクセス制限付きコンテンツの場合コンテンツプロバイダ２８のサーバは、特定のユーザからアクセスされたものか否かを判別するためのデータ（識別データ）を抽出する。そして、識別データが許可される識別データである場合には、コンテンツを提供し、識別データが許可されない識別データである場合には、コンテンツを提供しないように構成している。コンテンツプロバイダ２８の識別データには、携帯電話機のユーザ情報がある。ここでユーザ情報とは個々の携帯電話機の識別に用いられるＨＴＴＰヘッダである。通常、携帯電話機からコンテンツプロバイダ２８にアクセスしたときにコンテンツプロバイダ２８では取得したＨＴＴＰヘッダによって携帯電話機を判別することができる。
【００１７】
一方、プロキシサーバ１６は、通常、内部ネットワークとインターネットの境にあって、直接インターネットに接続できない内部ネットワークのコンピュータに代わってインターネットとの接続を行っている。すなわち、ネットワークに出入りするアクセスを一元管理して、内部から特定の種類の接続のみを許可したり、外部からの不正なアクセスを遮断するために用いられている。
【００１８】
また、外部との回線の負荷を軽減するために、一度読み込んだファイルをしばらく自ら保存しておくキャッシュ機能を有している。よって、同じファイルへの接続要求があった場合には、キャッシュされているファイルを転送して、接続速度を向上することができる。
【００１９】
ところで、従来無線ＬＡＮ対応携帯電話機１２から無線ＬＡＮ３０を経由し、インターネット２６にアクセスしようとすると、プロキシサーバ１６がインターネットサーバとして機能し、コンテンツプロバイダ２８にアクセス可能なユーザ情報を備えていないため、コンテンツプロバイダ２８にアクセスすることができなかった。
そこで本実施形態ではプロキシサーバ１６の前述のアクセス制限を利用して、無線ＬＡＮ対応携帯電話機１２からインターネット２６にアクセスできるユーザ情報の設定変更を行っている。
【００２０】
コンテンツプロバイダ２８ごとにアクセスを許可された携帯電話機のユーザ情報を取得した後、実施形態に係るプロキシサーバ１６では、このユーザ情報を基にコンテンツプロバイダ２８ごとにアクセスすることができるように接続プロトコルを変換しておく。より具体的には、ＨＴＴＰヘッダのプロキシ設定において、ユーザエージェントのデータを希望するコンテンツプロバイダ２８にアクセス可能なユーザ情報に接続プロトコルを変換する処理を行う。
【００２１】
上記構成による無線ＬＡＮ携帯電話の通信システムによる通信方法について図２を用いて説明する。図２は無線ＬＡＮ対応携帯電話の通信方法のフローチャートを示す。
【００２２】
図示のように、まずユーザは無線ＬＡＮ対応携帯電話機１２のメニュー画面から無線ＬＡＮ経由のインターネット接続ボタンを選択し、ついで無線ＬＡＮ対応携帯電話機１２の選択画面表示から接続を希望するコンテンツプロバイダ２８を選択する（ステップ２０２）。
無線ＬＡＮ対応携帯電話機１２からのデータ信号が無線ＬＡＮ３０のアクセスポイント２０に送信される（ステップ２０４）。
【００２３】
アクセスポイント２０では、無線ＬＡＮ対応携帯電話機１２からのデータ信号を受信して（ステップ２０６）、さらにアクセスポイント２０に接続するイントラネット２４のプロキシサーバ１６に受信したデータ信号が送られる。
プロキシサーバ１６では、無線ＬＡＮ対応携帯電話機１２のデータ信号のユーザ情報を認識する（ステップ２０８）。
プロキシサーバ１６では予めコンテンツプロバイダ２８ごとにアクセス可能なユーザ情報が変換されている。そしてプロキシサーバ１６は認識したユーザ情報に基づいて、予め登録してある接続プロトコルを変換したユーザ情報を読み出す（ステップ２１０）。
【００２４】
なおプロキシサーバ１６はコンテンツプロバイダ２８に接続するためのユーザ情報の設定変更を一旦行えば、無線ＬＡＮ３０を経由する全ての無線ＬＡＮ対応携帯電話機１２に対しコンテンツプロバイダ２８への接続が可能となる。よって接続する携帯電話機ごとにインターネット２６の接続プロトコル変換を設定する必要がない。
【００２５】
そして変換されたユーザ情報を備えたデータ信号がインターネット２６を介してコンテンツプロバイダ２８に送信される（ステップ２１２）。
コンテンツプロバイダ２８では、このデータ信号に基づいてアクセスが許可されたユーザであるか否か判断する。そしてコンテンツプロバイダ２８においてデータ信号が許可されたユーザであると判断された場合には、無線ＬＡＮ対応携帯電話機１２からインターネット２６のアクセス（接続）が可能となる（ステップ２１４）。
【００２６】
このように、無線ＬＡＮ対応携帯電話機１２を用いて、無線ＬＡＮを経由してデータ通信をすることにより、携帯電話と無線ＬＡＮ間では通信費が発生せず、またインターネット２６を経由するプロキシサーバ１６とコンテンツプロバイダ２８間では、接続費がかかるのみであり通信料金を大幅に低減することが可能となる。さらに本システムは無線ＬＡＮ３０を経由しているため、通常の携帯電話通信網に比べて通信速度が速い。
【００２７】
次に第２実施形態の無線ＬＡＮ対応携帯電話機の通信システムについて図３を用いて説明する。図示のように第１実施形態と相違するのは、アクセスポイント２０に替えてＶＰＮルータ４０を用いた構成としている点である。
ＶＰＮとは、インターネット等の公衆網を利用し遠隔地にある端末間で通信可能なプライベート・ネットワーク：ＶＰＮ（Ｖｉｒｔｕａｌ  Ｐｒｉｖａｔｅ  Ｎｅｔｗｏｒｋ）である。このＶＰＮルータ４０はプライベート・ネットワーク上を流れる通信データを他のネットワークに中継する機器である。ＶＰＮルータ４０はインターネット２６を経由してプロキシサーバ１６に接続する（矢印ａ）。プロキシサーバ１６は前述同様にユーザ情報の設定変更が可能である。また、ＶＰＮルータ４０はインターネット２６に接続できる環境であれば離れた箇所に複数形成することができる。個々のＶＰＮルータ４０はそれぞれプロキシサーバ１６に接続可能に構成している。
【００２８】
このためＶＰＮルータ４０は、プロキシサーバ１６からインターネット２６を介してコンテンツプロバイダ２８に接続できるとともに（矢印ｂ）、インターネットを経由したプロキシサーバ１６を介して複数の離れたＶＰＮルータ４０間どうしで接続することができる。
【図面の簡単な説明】
【００２９】
【図１】第１実施形態に係る無線ＬＡＮ対応携帯電話機の通信システムの構成概略を示す図である。
【図２】無線ＬＡＮ対応携帯電話機の通信方法のフローチャートを示す。
【図３】第２実施形態に係る無線ＬＡＮ対応携帯電話機の通信システムの構成概略を示す図である。
【図４】従来の携帯電話の通信方法の説明図を示す。
【符号の説明】
【００３０】
１０………通信システム、１２………無線ＬＡＮ対応携帯電話機、１６………プロキシサーバ、２０………アクセスポイント、２４………イントラネット、２６………インターネット、２８………コンテンツプロバイダ、３０………無線ＬＡＮ、４０………ＶＰＮルータ、１０１………携帯電話機、１０２………携帯電話通信網、１０４………ポータルサイト、１０５………インターネット、１０６………コンテンツプロバイダ。  
【図１】
2006303862.tif 000003
【図２】
2006303862.tif 000004
【図３】
2006303862.tif 000005
【図４】
2006303862.tif 000006